(57)【要約】      （修正有）【課題】装置の全長を短縮しつつノズルの必要な進退量を確保すると共にコストの低減を図る局部洗浄装置の提供。【解決手段】局部洗浄装置は、内周面に螺旋溝を有し前端および後端が開口した円筒状の回転体４０と、回転体４０の後端部に回転体と同軸に設けられた回転ギヤ４５と、回転ギヤ４５を回転させるモータ２４と、回転体４０の内部に設けられ螺旋溝に嵌合する嵌合部３５を有し人体の局部に洗浄水を噴出可能なノズル３０と、回転体４０の後端の開口を通ってノズル３０に連結されノズル３０に洗浄水を供給可能なホースと、を備える。【選択図】図３
2019116816.tif 000002
【特許請求の範囲】
【請求項１】
人体の局部を洗浄する局部洗浄装置であって、
内周面に螺旋溝を有し、前端および後端が開口した円筒状の回転体と、
前記回転体の後端部に該回転体と同軸に設けられた回転ギヤと、
前記回転ギヤを回転させるモータと、
前記回転体の内部に設けられ、前記螺旋溝に嵌合する嵌合部を有し、人体の局部に洗浄水を噴出可能なノズルと、
前記回転体の後端の開口を通って前記ノズルに連結され、該ノズルに洗浄水を供給可能なホースと、
を備える局部洗浄装置。
【請求項２】
請求項１に記載の局部洗浄装置であって、
前記回転体の外周面を覆って該回転体を支持するケースを備え、
前記ケースの内周面および前記回転体の外周面の一方には、環状の凹溝を有し、
前記ケースの内周面および前記回転体の外周面の他方には、前記凹溝と嵌合する凸部を有する、
局部洗浄装置。
【請求項３】
請求項１または２に記載の局部洗浄装置であって、
前記回転体と前記回転ギヤは、一体の部材で形成されている、
局部洗浄装置。
【請求項４】
請求項１ないし３いずれか１項に記載の局部洗浄装置であって、
前記回転ギヤは、前記回転体の後端面に該回転体と同軸に設けられたかさ歯車である、
局部洗浄装置。
【請求項５】
請求項１ないし４いずれか１項に記載の局部洗浄装置であって、
前記嵌合部は、ボールである、
局部洗浄装置。
【請求項６】
請求項１ないし４いずれか１項に記載の局部洗浄装置であって、
前記嵌合部は、前記ノズルの外周面から外側に突出した凸部である、
局部洗浄装置。
【請求項７】
請求項１ないし６いずれか１項に記載の局部洗浄装置であって、
前記回転体は、２つの半円筒部材を合わせた円筒体であり、
前記半円筒部材の内周面には、前記回転体の軸方向に対して傾斜して延びる複数の凸条により前記螺旋溝が形成され、
前記内周面の周方向における両端部は、凹凸のない曲面で形成される、
局部洗浄装置。
【請求項８】
請求項１ないし７いずれか１項に記載の局部洗浄装置であって、
前記回転体の外周面を覆って該回転体を支持するケースを備え、
前記回転体と前記回転ギヤは、一体の部材で形成されており、
前記回転ギヤの外径は、前記ケースの外径よりも小さい、
局部洗浄装置。
【請求項９】
請求項１ないし８いずれか１項に記載の局部洗浄装置であって、
前記ホースは、前記回転体の後端の開口から外部へ露出した部分に屈曲部を有すると共に前記ノズルの進退に追従し、
前記ホースの屈曲部を覆うホースカバーを備え、
前記ホースカバーは、前記ノズルが前記回転体に収容された収容位置にあるときに前記ホースの屈曲部を内面で支持する、
局部洗浄装置。
【発明の詳細な説明】
【技術分野】
【０００１】
本発明は、回転体の回転により進退が可能なノズルを有する局部洗浄装置に関する。
【背景技術】
【０００２】
従来、この種の局部洗浄装置としては、略洋杯状の弁操作体を含む弁装置本体と、弁操作体内で回動するシリンダと、洗浄水を噴出可能なノズル孔を有し回動するシリンダ内を摺動するノズル本体と、シリンダ後端の外周部に設けられた外歯の駆動ギヤと、駆動ギヤを回転させる電動機と、を備えるものが提案されている（例えば、特許文献１参照）。この局部洗浄装置では、シリンダの内壁には螺旋形凹溝（螺旋溝）が形成され、ノズル本体の外周部には螺旋形凹溝を摺動する突起が設けられており、電動機でシリンダを回転駆動することで、ノズル本体をシリンダに対して進退させることができる。また、弁装置本体は、弁操作体の他に、弁操作体と連結環により結合された管状の弁切替体を有し、弁切替体の外周部にはノズル内部に側方から洗浄水を供給するための流入開口部が設けられている。
【先行技術文献】
【特許文献】
【０００３】
【特許文献１】特開２００１−２７１４０３号公報
【発明の概要】
【発明が解決しようとする課題】
【０００４】
しかしながら、上述した局部洗浄装置では、ノズル内部に側方から洗浄水を供給するために弁操作体に対して長手方向に連結される弁切替体を備えるものであり、ノズルの必要な進退量を確保するために、装置の全長が長くなってしまう。また、ノズル本体内に側方から洗浄水を供給するにあたっては、水漏れを防止するためのシール材（Ｏリング）が必要となるため、部品点数が増加し、コストアップを招いてしまう。
【０００５】
本発明の局部洗浄装置は、装置の全長を短縮しつつノズルの必要な進退量を確保すると共にコストの低減を図ることを主目的とする。
【課題を解決するための手段】
【０００６】
本発明の局部洗浄装置は、上述の主目的を達成するために以下の手段を採った。
【０００７】
本発明の局部洗浄装置は、
人体の局部を洗浄する局部洗浄装置であって、
内周面に螺旋溝を有し、前端および後端が開口した円筒状の回転体と、
前記回転体の後端部に該回転体と同軸に設けられた回転ギヤと、
前記回転ギヤを回転させるモータと、
前記回転体の内部に設けられ、前記螺旋溝に嵌合する嵌合部を有し、人体の局部に洗浄水を噴出可能なノズルと、
前記回転体の後端の開口を通って前記ノズルに連結され、該ノズルに洗浄水を供給可能なホースと、
を備えることを要旨とする。
【０００８】
この本発明の局部洗浄装置では、前端および後端が開口した円筒状の回転体と、回転体の後端部に回転体と同軸に設けられた回転ギヤと、回転ギヤを回転させるモータと、回転体の内部に設けられたノズルとを備え、回転体の内周面に螺旋溝を形成し、ノズルに螺旋溝と嵌合する嵌合部を設ける。これにより、モータにより回転ギヤを回転させて回転体を回転させることで、ノズルの嵌合部を螺旋溝に沿って相対的に移動させ、ノズルを回転体に対して進退移動させることができる。また、局部洗浄装置では、回転体の後端の開口を通って内部のノズルにホースの一端を接続し、ホースからノズル内部に洗浄水を供給するから、側方からノズル内部へ洗浄水を供給する場合に比して装置の全長を短縮しつつノズルの必要な進退量を確保することができると共に、シール部等を不要としてコストの低減を図ることができる。
【０００９】
こうした本発明の局部洗浄装置において、前記回転体の外周面を覆って該回転体を支持するケースを備え、前記ケースの内周面および前記回転体の外周面の一方には、環状の凹溝を有し、前記ケースの内周面および前記回転体の外周面の他方には、前記凹溝と嵌合する凸部を有するものとしてもよい。こうすれば、ケースと回転体との間の摩擦抵抗を低減しつつ、回転体の回転に伴って回転体がケースから脱落するのを防止することができる。
【００１０】
また、本発明の局部洗浄装置において、前記回転体と前記回転ギヤは、一体の部材で形成されているものとしてもよい。こうすれば、部品点数を削減して、低コスト化を図ることができる。
【００１１】
更に、本発明の局部洗浄装置において、前記回転ギヤは、前記回転体の後端面に該回転体と同軸に設けられたかさ歯車であるものとしてもよい。こうすれば、回転体の外周部に外歯の回転ギヤを設けるものに比して、装置を径方向にコンパクトにすることができる。
【００１２】
また、本発明の局部洗浄装置において、前記嵌合部は、ボールであるものとしてもよいし、前記ノズルの外周面から外側に突出した凸部であるものとしてもよい。前者の場合、回転体とノズルとの間の摩擦抵抗を減らして、ノズルをスムーズに進退させることができる。また、後者の場合、凸部をノズルと一体成形することが可能となり、部品点数を削減し、低コスト化を図ることができる。
【００１３】
また、本発明の局部洗浄装置において、前記回転体は、２つの半円筒部材を合わせた円筒体であり、前記半円筒部材の内周面には、前記回転体の軸方向に対して傾斜して延びる複数の凸条により前記螺旋溝が形成され、前記内周面の周方向における両端部は、凹凸のない曲面で形成されるものとしてもよい。こうすれば、複数の凸条が一体化された半円筒部材を凹型および凸型を用いて射出成形により形成する場合に、型抜きをスムーズに行なうことができる。
【００１４】
また、本発明の局部洗浄装置において、前記回転体の外周面を覆って該回転体を支持するケースを備え、前記回転体と前記回転ギヤは、一体の部材で形成されており、前記回転ギヤの外径は、前記ケースの外径よりも小さいものとしてもよい。こうすれば、回転ギヤがケースの外径からはみ出さないようにすることができ、装置全体をよりコンパクトにすることができる。
【００１５】
また、本発明の局部洗浄装置において、前記ホースは、前記回転体の後端の開口から外部へ露出した部分に屈曲部を有すると共に前記ノズルの進退に追従し、前記ホースの屈曲部を覆うホースカバーを備え、前記ホースカバーは、前記ノズルが前記回転体に収容された収容位置にあるときに前記ホースの屈曲部を内面で支持するものとしてもよい。こうすれば、ホースカバーを備えないものに比して、ホースを含むノズルユニット全体をよりコンパクトにすることができ、局部洗浄装置の他の部材との干渉を防止することができる。
【図面の簡単な説明】
【００１６】
【図１】本実施形態の局部洗浄装置を含む衛生洗浄便座装置１０が取り付けられた便器１の外観斜視図である。
【図２】局部洗浄装置に含まれるノズルユニット２０の外観斜視図である。
【図３】ノズルユニット２０の分解斜視図である。
【図４】ノズル３０の外観斜視図である。
【図５】ノズル３０の内部を示す斜視図である。
【図６】ノズル３０の背面図およびそのＡ−Ａ断面の一部を拡大した部分拡大図である。
【図７】シリンダ４０の外観斜視図である。
【図８】半円筒部材４１，４２の内周面側の平面図である。
【図９】シリンダ４０，ケース５０およびモータ２４とを含むユニットの外観斜視図である。
【図１０】シリンダ４０，ケース５０およびモータ２４を含むユニットの背面図である。
【図１１】シリンダ４０，ケース５０およびモータ２４を含むユニットの側面図およびそのＢ−Ｂ断面図である。
【図１２】ケース５０の内部を示す斜視図である。
【図１３】ノズルユニット２０の動作の様子を示す説明図である。
【図１４】変形例のノズル１３０の外観斜視図である。
【図１５】変形例のノズル２３０の外観斜視図である。
【図１６】変形例のノズルユニット３２０の断面図である。
【図１７】第２実施形態のノズルユニット４２０の外観斜視図である。
【図１８】ノズルユニット４２０の分解斜視図である。
【図１９】ノズルユニット４２０の断面図である。
【図２０】ホースカバーの平面図である。
【図２１】変形例のノズルユニット５２０の外観斜視図である。
【発明を実施するための形態】
【００１７】
本発明を実施するための形態について図面を参照しながら説明する。
【００１８】
図１は本実施形態の局部洗浄装置を含む衛生洗浄便座装置１０が取り付けられた便器１の外観斜視図であり、図２は局部洗浄装置に含まれるノズルユニット２０の外観斜視図であり、図３はノズルユニット２０の分解斜視図である。便器１は、洋式便器であり、便器１の上面に衛生洗浄便座装置１０が設置されている。衛生洗浄便座装置１０は、図１に示すように、便器１の後方に設置される便座装置本体１２と、便座装置本体１２に回動自在に支持された便座１４と、便座装置本体１２に回動自在に支持された便蓋１６と、使用者により操作される操作パネル１８と、を備える。
【００１９】
便座装置本体１２は、給水管（水道配管）に接続された洗浄水流路、止水弁、熱交換ユニット、洗浄の強さを調整する脈動ポンプ、洗浄水を噴出するノズルユニット２０、切替バルブなどを含む局部洗浄装置を備えており、これらは樹脂製のハウジング内に収容されている。熱交換ユニットは、水タンクやヒータ、温度センサが設けられ、給水管からの水をヒータによって温水にする。
【００２０】
また、便座装置本体１２は、衛生洗浄便座装置１０を制御する図示しない制御装置を備える。制御装置は、操作パネル１８や着座センサ１３（図１参照）、水タンクの温度センサなどからの信号に基づいて、水タンク内のヒータや脈動ポンプ、ノズルユニット２０、切替バルブを制御する。操作パネル１８には、図示しないが、おしり洗浄を指示するおしり用洗浄スイッチやビデ洗浄を指示するビデ用洗浄スイッチ、洗浄の強さを調整するための洗浄強さ調整スイッチ、洗浄の停止を指示する停止スイッチなどが設けられている。
【００２１】
ノズルユニット２０は、ノズル３０やシリンダ４０、ケース５０、モータ２４等を備える。
【００２２】
ノズル３０は、洗浄位置（図２（ｂ）参照）と収容位置（図２（ａ）参照）との間で進退移動すると共に洗浄位置において人体の局部に洗浄水を噴出可能に構成される。図４は、ノズル３０の外観斜視図であり、図５は、ノズル３０内部の斜視図である。ノズル３０は、後端が開口した円筒状のノズル本体３１と、ノズル本体３１の先端部に形成された２つのノズル孔３２ａ，３２ｂと、を有する。本実施形態では、ノズル孔３２ａは、おしり洗浄用のノズル孔として構成され、ノズル孔３２ｂは、ビデ洗浄用のノズル孔として構成される。ノズル本体３１の内部には、図５に示すように、２つの洗浄水流路３８ａ，３８ｂが設けられており、洗浄水流路３８ａの出口はノズル孔３２ａと連通され、洗浄水流路３８ｂの出口はノズル孔３２ｂと連通されている。洗浄水流路３８ａ，３８ｂの入口には
、それぞれホース３２ａ，３２ｂの一端がノズル本体３１の後端の開口から挿入されて接続され、ホース３２ａ，３２ｂの他端には、切替バルブが接続される。切替バルブは、脈動ポンプよりも下流の洗浄水流路の洗浄水の供給先を複数のノズル孔３２ａ，３２ｂのいずれから噴出させるかを切り替えるものであり、例えば、モータにより駆動されるロータリバルブとして構成される。
【００２３】
また、ノズル本体３１の後端部の外周面には、図４に示すように、複数（例えば４つ）のボール３５が転動自在に保持される。ノズル本体３１の後端部の外周面には、凹曲面状の複数の窪み部３４が周方向に等角度間隔で形成されており、ボール３５は、それぞれの窪み部３４に配設される。ノズル３０の背面図およびそのＡ−Ａ断面の一部を拡大した部分拡大図を図６に示す。ボール３５は、部分的にノズル本体３１の外周面から外側へ露出するように窪み部３４に配設され、ノズル本体３１の後端部に取り付けられる環状のキャップ３６によって保持される。キャップ３６は、窪み部３４と同数かつ同角度間隔で円弧状の凹部３７が設けられ、窪み部３４と凹部３７とでボール３５を挟むようにノズル本体３１の後端部に取り付けられる。これにより、複数のボール３２は、転動自在で且つノズル本体３１から脱落しないように保持される。
【００２４】
シリンダ４０は、前端と後端とが開口した円筒状の回転体であり、ノズル３０を包囲するようにノズル３０の外径よりも若干大きい内径を有する。図７はシリンダ４０の外観斜視図であり、図８は半円筒部材４１，４２の内周面側の平面図である。シリンダ４０は、２つの半円筒部材４１，４２の周方向の端面同士が突き合わされて形成される。半円筒部材４１，４２の外周面には、それぞれ周方向に半円状に延びる凸条４３が形成されている。凸条４３は、図７に示すように、半円筒部材４１，４２の周方向の端面同士が突き合わされた状態で環状をなす。また、半円筒部材４１，４２の内周面には、図８に示すように、それぞれシリンダ４０の軸方向に対して傾斜して延びる複数のリブ４４が形成されている。複数のリブ４４は、半円筒部材４１，４２の周方向の端面同士が突き合わされた状態で、隣接するリブ４４間の溝が螺旋状につながる螺旋溝を形成する。本実施形態では、リブ４４は、半円筒部材４１，４２の内周面の周方向における両端部には形成されておらず、当該両端部は凹凸のない曲面４６となっている。
【００２５】
また、シリンダ４０（半円筒部材４１）の後端部の外周面には、図７および図８に示すように、シリンダ４０と同軸に回転する外歯の回転ギヤ４５が設けられている。図９はシリンダ４０，ケース５０およびモータ２４とを含むユニットの外観斜視図であり、図１０はシリンダ４０，ケース５０およびモータ２４を含むユニットの背面図であり、図１１はシリンダ４０，ケース５０およびモータ２４を含むユニットの側面図およびそのＢ−Ｂ断面図である。図示するように、本実施形態では、回転ギヤ４５は、ケース５０の外径からはみ出さないよう、ケース５０の外径よりも小さな外径を有するように形成されている。回転ギヤ４５はモータ２４の回転軸に取り付けられた駆動ギヤ２５と噛合されており、シリンダ４０は、モータ２４により回転ギヤ４５を回転駆動することで回転ギヤ４５と一体に回転する。また、シリンダ４０の内周面に形成されたリブ４４によって構成される螺旋溝には、ノズル３０の後端部の外周面に設けられたボール３５が嵌合するため、ノズル３０は、シリンダ４０が回転することによりボール３５が螺旋溝に沿って相対的に移動しながら前後に進退する。
【００２６】
また、半円筒部材４１，４２は、本実施形態では、外周面を形成する凹型と内周面を形成する凸型との間の空間に樹脂材料を射出注入し、樹脂材料を冷却固化させる射出成形によって形成され、半円筒部材４１，４２には回転ギヤ４５や凸条４３、リブ４４が一体に形成されている。上述したように、半円筒部材４１，４２の内周面の周方向における両端部は、リブ４４がなく凹凸のない曲面４６で形成されるため、射出成形の際の型抜き（凸型の型抜き）をスムーズに行なうことができる。
【００２７】
ケース５０は、前端と後端とが開口された円筒部材であり、シリンダ４０を包囲してシリンダ４０を回転自在に支持するようにシリンダ４０の外径よりも若干大きな内径を有する。ケース５０は、図３に示すように、２つの半円筒部材５１，５２の周方向の端面同士が突き合わされて形成される。図１２は、ケース５０の内部を示す斜視図である。ケース５０の内周面は、図示するように、環状に延びる凹溝５３が形成されており、凹溝５３には、シリンダ４０の凸条４３が嵌合される。本実施形態では、凹溝５３は凸条４３の高さよりも浅い深さを有しており、シリンダ５０は、少ない摩擦抵抗で回転自在にケース５０に支持される。また、ケース５０の後端部の外周面には、径方向に延びる固定板５４が一体的に設けられ、固定板５４には、モータ２４のハウジングが固定されている。
【００２８】
次に、こうして構成された本実施形態の衛生洗浄便座装置１０（局部洗浄装置のノズルユニット２０）の動作について説明する。図１３は、ノズルユニット２０の動作の様子を示す説明図である。衛生洗浄便座装置１０の制御装置は、着座センサ１３により使用者が便座１４に着座していると判定し、かつ、操作パネル１８のおしり用洗浄スイッチが押下されたと判定すると、モータ２４により駆動ギヤ２５と噛合する回転ギヤ４５を回転させて、シリンダ４０を回転させる。シリンダ４０が回転すると、ノズル３０に設けられた複数のボール３５がシリンダ４０の内周面に形成された螺旋溝に沿って相対的に移動し、ノズル３０はおしり洗浄用の洗浄位置に向かって進出する。ノズル３０が洗浄位置に到達すると、制御装置は、ノズル３０のノズル孔３２ａに脈動ポンプからの洗浄水がホース２１を介して供給されるよう切替バルブ（モータ）を制御する。これにより、ノズル孔３２ａから人体の肛門部に向かって洗浄水が噴出され、おしり洗浄が開始される。制御装置は、操作パネル１８の停止スイッチが押下されて、おしり洗浄の停止が指示されると、ノズル３０への給水を停止する。そして、モータ２４により回転ギヤ４５を逆回転させて、ノズル３０を収容位置に向かって後退させ、シリンダ４０内に収容させる。
【００２９】
また、制御装置は、着座センサ１３により使用者が便座１４に着座していると判定し、かつ、操作パネル１８のビデ用洗浄スイッチが押下されたと判定すると、モータ２４によりシリンダ４０を回転させ、ノズル３０をビデ洗浄用の洗浄位置に向かって進出させる。ノズル３０が洗浄位置に到達すると、制御装置は、ノズル３０のノズル孔３２ｂに脈動ポンプからの洗浄水がホース２２を介して供給されるよう切替バルブ（モータ）を制御する。これにより、ノズル孔３２ｂから人体のビデ部に向かって洗浄水が噴出され、ビデ洗浄が開始される。制御装置は、操作パネル１８の停止スイッチが押下されて、ビデ洗浄の停止が指示されると、ノズル３０への給水を停止する。そして、モータ２４により回転ギヤ４５を逆回転させて、ノズル３０を収容位置に向かって後退させ、シリンダ４０内に収容させる。
【００３０】
以上説明した本実施形態の局部洗浄装置では、前端および後端が開口した円筒状のシリンダ４０と、シリンダ４０の内部に設けられたノズル３０と、シリンダ４０の後端部に同軸に設けられた回転ギヤ４５と、回転ギヤ４５を回転させるモータ２４と、を有するノズルユニット２０を備えるものにおいて、シリンダ４０の内周面に螺旋溝（螺旋状のリブ４４間の溝）を形成し、ノズル３０の後端部の外周面にボール３５を配設する。これにより、モータ２４により回転ギヤ４５を回転させてシリンダ４０を回転させることで、螺旋溝に沿ってボール３５を相対的に移動させながらノズル３０を進退させることができる。加えて、シリンダ４０の後端の開口を通って内部のノズル３０にホース２１，２２の一端を接続し、ノズル３０内部に後方から洗浄水を供給するよう構成する。したがって、側方からノズル内部へ洗浄水を供給させるものに比して、装置の全長を短縮しつつノズルの必要な進退量を確保することができると共に、シール部等を不要としてコストの低減を図ることができる。また、ボール３５は転動自在にノズル本体３１に設けられるため、少ない摩擦抵抗でシリンダ４０に対してノズル３０を進退させることができる。
【００３１】
また、シリンダ４０と回転ギヤ４５とを一体の部材で構成するから、部品点数を削減して低コスト化を図ることができる。
【００３２】
更に、シリンダ４０の外周面に、その外周面を周回するように凸条４４を形成し、ケース５０の内周面に凸条４４に嵌合される環状の凹溝５３を形成する。これにより、ケース５０は、少ない摩擦抵抗でシリンダ４０を回転自在に支持することができると共に、シリンダ４０が脱落するのを防止することができる。
【００３３】
また、シリンダ４０を、２つの半円筒部材４１，４２の周方向の端面同士を突き合わせることで構成し、半円筒部材４１，４２の内周面の周方向における両端部を、リブ４４のない曲面４６により形成する。これにより、凹型および凸型を用いて射出成形によりリブ４４が一体化した半円筒部材４１，４２を形成する場合に、型抜きをスムーズに行なうことができる。
【００３４】
実施形態では、シリンダ４０の外周面に環状の凸条４４を形成し、ケース５０の内周面に凸条４４に嵌合される環状の凹溝５３を形成するものとしたが、シリンダ４０の外周面に凹溝を形成し、ケース５０の内周面に凹溝に嵌合する凸条を形成してもよい。凸条は、必ずしも環状に形成されたものに限られず、半円状に形成されてもよい。また、凸条に代えて突起を設けるものとしてもよい。
【００３５】
実施形態では、シリンダ４０の螺旋溝と嵌合する嵌合部として、ノズル３０の後端部の外周面に複数のボール３５を配設するものとしたが、これに限定されるものではなく、図１４の変形例のノズル１３０に示すように、ノズル本体１３１の後端部の外周面に等角度間隔に先端部が球状の複数（例えば４つ）の突起１３５を設けるものとしてもよい。また、図１５の変形例のノズル２３０に示すように、ノズル本体２３１の後端部の外周面に、螺旋溝の形状に倣うようにノズル本体２３１の軸方向に対して傾斜して延びる１つ又は複数の凸条２３５を設けるものとしてもよい。これらの変形例によれば、突起１３５や凸条２３５とノズル本体１３１，２３１とを一体の部材で形成することができるため、部品点数を削減して、コストの低減を図ることができる。
【００３６】
実施形態では、シリンダ４０と同軸に回転するようにシリンダ４０の後端部の外周面に外歯の回転ギヤ４５を設けるものとしたが、これに限定されるものではなく、図１６の変形例のノズルユニット３２０に示すように、シリンダ３４０の後端面にシリンダ３４０と同軸に回転するようにフェースギヤなどのかさ歯車３４５を設け、回転軸に取り付けられる駆動ギヤ３２５がかさ歯車３４５と噛合するようにモータ３２４を配置するものとしてもよい。この変形例のノズルユニット３２０では、かさ歯車３４５をモータ３２４で回転駆動させ、かさ歯車３４５と同軸のシリンダ３４０を回転させることで、シリンダ３４０の螺旋溝に沿ってボール３３５を相対的に移動させてノズル３３０を進退させることができる。これにより、ノズルユニット３２０を径方向にコンパクトにすることができる。この変形例のノズルユニット３２０では、ホース３２１の一端がかさ歯車３４５の中心孔を通ってノズル３３０に連結され、ホース３２１からの洗浄水がノズル３３０内部（洗浄水流路）に供給されることで、ノズル先端のノズル孔３３２から洗浄水を噴出することができる。
【００３７】
実施形態では、シリンダ４０は、２つの半円筒部材４１，４２により形成されるものとしたが、これに限定されるものではなく、単一の円筒部材により形成されてもよいし、３つ以上の円弧状に湾曲した部材により形成されてもよい。
【００３８】
実施形態では、ノズルユニット２０のノズル３０が有する複数のノズル孔３２ａ，３２ｂを、それぞれおしり洗浄用とビデ洗浄用として用いるものとしたが、それぞれおしりパワフル洗浄用とおしりマイルド洗浄用として用いる等、他の異なる用途に用いるものであってもよい。また、用途ごとにノズル（ノズルユニット）を別々に備えるものとしてもよい。この場合、上述したように、シリンダ４０の後端部に設けられる回転ギヤ５４がケース５０の外径からはみ出さないよう、回転ギヤ５４の外径をケース５０の外径よりも小さくしているため、複数のノズルユニットを並べて配置する場合であっても、ユニット全体をよりコンパクトにすることができる。
【００３９】
次に、第２実施形態のノズルユニット４２０について説明する。図１７は、第２実施形態のノズルユニット４２０の外観斜視図であり、図１８は、ノズルユニット４２０の分解斜視図であり、図１９は、ノズルユニット４２０の断面図である。なお、図１７（ａ）は、ノズルユニット４２０を前方斜め上から見た外観斜視図であり、図１７（ｂ）は、ノズルユニット４２０を後方斜め上から見た外観斜視図である。第２実施形態のノズルユニット４２０の各構成のうちノズル３０およびシリンダ４０は実施形態のノズルユニット２０と同一の構成であるから同一の符号を付し、その説明は重複するから省略する。第２実施形態のノズルユニット４２０は、図示するように、ノズル３０やシリンダ４０、ケース４５０、モータ４２４、ホースカバー４６０等を備える。
【００４０】
ケース４５０は、図１９に示すように、前方へ向かって下方に傾斜するように支持プレート４９０上に固定され、シリンダ４０を回転自在に支持する。シリンダ４０内部に設けられたノズル３０にはホース２１，２２の一端が接続され、ホース２１，２２の他端は、切替バルブ４７０に接続されている。切替バルブ４７０は、ケース４５０と支持プレート４９０との間に配設されたロータリバルブであり、図１７に示すように、モータ４７１により駆動されることにより、洗浄水の供給先をノズル３０の複数のノズル孔３２ａ，３２ｂのいずれから噴出させるかを切り替える。ホース２１，２２は、図１８に示すように、切替バルブ４７０から折り返すように屈曲されつつ、シリンダ４０の後端の開口に挿通されてノズル３０に接続され、ノズル３０の進退に追従する。
【００４１】
シリンダ４０を回転させるモータ４２４は、第２実施形態では、ケース４５０の後端部に爪により嵌合されたプレート状の取付部材４５４に取り付けられている。取付部材４５４には、モータ４２４の取付部に隣接した位置に、ホース２１，２２が挿通される楕円状の開口４５４ｏ(図１８参照）が形成されている。
【００４２】
ホースカバー４６０は、ケース４５０の後端部に取り付けられて、ホース２１，２２の屈曲部２１ｃ，２２ｃを覆うように構成されている。図２０は、ホースカバーの平面図である。なお、図２０（ａ）は、上面図であり、図２０（ｂ），（ｃ）は、側面図であり、図２０（ｄ）は背面図である。ホースカバー４６０は、図１８に示すように、２つの部材（第１部材４６１および第２部材４６２）が突き合せれて構成されており、第２部材４６４に形成された爪４６３を取付部材４５４に設けられた係合孔４５４ｈに係合させることにより、取付部材４５４に取り付けられる。なお、ホースカバー４６０は、単一の部材により構成されてもよい。ホースカバー４６０は、前方側（取付部材４５４側）が開口してシリンダ４０の後端から露出したホース２１，２２の屈曲部２１ｃ，２２ｃを収容する。また、ホースカバー４６０は、後方側に凹曲面により形成された内面４６０ａを有する。また、第２実施形態では、ホースカバー４６０には、図１７に示すように、洗浄水流路内を大気と連通させるためのバキュームブレーカ４７５も取り付けられている。バキュムーブレーカ４７５は、脈動ポンプと切替バルブ４７０との間に介在し、脈動ポンプと切替バルブ４７０とに対してそれぞれホース４７６，４７７により接続されている。
【００４３】
こうして構成された第２実施形態のノズルユニット４２０では、図１９に示すように、ノズル３０がシリンダ４０内に収容された収容位置にあるとき、ホース２１，２２は、その屈曲部２２ｃ，２２ｃがホースカバー４６０の内面４６０ａに押し付けられ、ホースカバー４６０の内面４６０ｃによって支持される。一方、ノズル３０が収容位置から洗浄位置に向かって進出すると、ホース２１，２２がノズル３０の進出に追従することで、ホース２１，２２の屈曲部２１ｃ，２２ｃがホースカバー４６０の内面４６０ｃから離間する。これにより、ホースカバー４６０を備えないものに比して、ホース２１，２２を含むノズルユニット４２０全体をよりコンパクトにすることができ、ホース２１，２２が局部洗浄装置１０の他の部材と干渉するのを防止することができる。
【００４４】
第２実施形態のノズルユニット４２０は、単一のノズル３０により構成されるものとしたが、複数のノズル３０により構成されてもよい。この場合、図２１の変形例のノズルユニット５２０に示すように、２つのノズルを有し、各ノズルに連結されるホースの屈曲部を収容するノズルカバー４６０，５６０をノズル毎に設けるものとしてもよい。２つのノズルは、それぞれモータ４６０，５６０により進退移動させられる。また、ノズルユニット５２０は、切替バルブ４７０にホース５８１を介して接続され、ホース５８１から供給される洗浄水により各ノズルのノズル孔を洗浄するためのノズル洗浄器５８０も備えている。
【００４５】
実施形態の主要な要素と課題を解決するための手段の欄に記載した発明の主要な要素との対応関係について説明する。実施形態では、シリンダ４０が「回転体」に相当し、複数のリブ４４により隣接するリブ４４間に形成される溝が「螺旋溝」に相当し、回転ギヤ４５が「回転ギヤ」に相当し、モータ２４が「モータ」に相当し、ノズル３０が「ノズル」に相当し、ボール３５や突起１３５、凸条２３５が「嵌合部」に相当し、ホース２１，２２が「ホース」に相当する。また、かさ歯車３４５も「回転ギヤ」に相当する。また、ホースカバー４６０，５６０が「ホースカバー」に相当する。
【００４６】
なお、実施形態の主要な要素と課題を解決するための手段の欄に記載した発明の主要な要素との対応関係は、実施形態が課題を解決するための手段の欄に記載した発明を実施するための形態を具体的に説明するための一例であることから、課題を解決するための手段の欄に記載した発明の要素を限定するものではない。即ち、課題を解決するための手段の欄に記載した発明についての解釈はその欄の記載に基づいて行なわれるべきものであり、実施形態は課題を解決するための手段の欄に記載した発明の具体的な一例に過ぎないものである。
【００４７】
以上、本発明を実施するための形態について実施形態を用いて説明したが、本発明はこうした実施形態に何等限定されるものではなく、本発明の要旨を逸脱しない範囲内において、種々なる形態で実施し得ることは勿論である。
【産業上の利用可能性】
【００４８】
本発明は、局部洗浄装置の製造産業などに利用可能である。
【符号の説明】
【００４９】
１  便器、１０  衛生洗浄便座装置、１２  便座装置本体、１３  着座センサ、１４  便座、１６  便蓋、１８  操作パネル、２０，３２０，４２０，５２０  ノズルユニット、２１，２２，３２１  ホース、２１ｃ，２２ｃ  屈曲部、２４，３２４，４２４  モータ、２５，３２５  駆動ギヤ、３０，１３０，２３０，３３０  ノズル、３１，１３１，２３１  ノズル本体、３２ａ，３２ｂ，３３２  ノズル孔、３４  窪み部、３５，３３５  ボール、３６  キャップ、３７  凹部、３８ａ，３８ｂ  洗浄水流路、４０  シリンダ、４１，４２  半円筒部材、４３  凸条、４４  リブ、４５  回転ギヤ、４６  曲面、５０  ケース、５１，５２  半円筒部材、５３  凹溝、１３５  突起、２３５  凸条、３４５  かさ歯車、４５０，５５０  ケース、４５４  取付部材、４５４ｈ  係合孔、４６０，５６０  ホースカバー、４６０ａ  内面、４６１  第１部材、４６２  第２部材、４６３  爪、４７０  切替バルブ、４７１  モータ、４７５  バキュームブレーカ、４７６，４７７  ホース、４８０  ４９０  支持プレート、５８０  ノズル洗浄器、５８１  ホース。
【図１】
2019116816.tif 000003
【図２】
2019116816.tif 000004
【図３】
2019116816.tif 000005
【図４】
2019116816.tif 000006
【図５】
2019116816.tif 000007
【図６】
2019116816.tif 000008
【図７】
2019116816.tif 000009
【図８】
2019116816.tif 000010
【図９】
2019116816.tif 000011
【図１０】
2019116816.tif 000012
【図１１】
2019116816.tif 000013
【図１２】
2019116816.tif 000014
【図１３】
2019116816.tif 000015
【図１４】
2019116816.tif 000016
【図１５】
2019116816.tif 000017
【図１６】
2019116816.tif 000018
【図１７】
2019116816.tif 000019
【図１８】
2019116816.tif 000020
【図１９】
2019116816.tif 000021
【図２０】
2019116816.tif 000022
【図２１】
2019116816.tif 000023